(57)【要約】  液体供給装置は、第１液体を収容する第１の容器を含む。第１の容器は、第１の容器の端部に開口を有する。装置は、第１の容器に隣接する第２の容器も備える。第２の容器は第２液体を収容でき、第２の容器の端部に開口を有する。第１の容器の端部の開口は、第２の容器の端部の開口に近接する。第１及び第２の容器は、第１液体を第２液体から隔てる。第１及び第２液体の一方は、他方の液体に本質的に存在しない味物質を含有する、又は相対的に異なる量で存在する味物質を含有する。第１及び第２の容器の配置、及び／又は第１の容器の端部の開口及び第２の容器の端部の開口の構成は、第１及び第２液体が装置から注がれた場合に、第１液体が第１の容器の端部の開口を通って流れ、第２液体が第２の容器の端部の開口を通って流れ、それにより、第２液体が第２の容器の端部の開口から出始める前に、第１液体が第１の容器の端部の開口から出始めるような構成である。【選択図】  図４Ａ
2020524640.tif 000002
【特許請求の範囲】
【請求項１】
液体供給装置であって
第１の液体を収容する第１の容器であって、前記第１の容器の端部に開口部を有する第１の容器と、
前記第１の容器に隣接する第２の容器であって、第２の液体を収容し、前記第２の容器の端部に開口部を有する第２の容器と、
を備え、
前記第１の容器の前記端部における前記開口部は、前記第２の容器の前記端部における前記開口部に近接しており、
前記第１の容器及び前記第２の容器は、前記第１の液体を前記第２の液体から隔て、
前記第１の液体及び前記第２の液体のうちの一方は、他方の液体に本質的に存在しない味物質を含有し、又は相対的に異なる量で存在する味物質を含有し、
前記第１の容器及び前記第２の容器の構成、並びに／又は前記第１の容器の前記端部における前記開口部及び前記第２の容器の前記端部における前記開口部の構成は、前記第１の液体及び前記第２の液体が前記装置から注がれる場合に、前記第１の液体が前記第１の容器の前記端部における前記開口部を通って流れ、前記第２の液体が前記第２の容器の前記端部における前記開口部を通って流れ、それにより、前記第２の液体が前記第２の容器の前記端部における前記開口部から出始める前に、前記第１の液体が前記第１の容器の前記端部における前記開口部から出始めるような構成である、
液体供給装置。
【請求項２】
前記味物質は、甘味、塩味、苦味、うまみ、酸味、又は風味を有し、例えば、前記味物質は、塩化ナトリウム、塩化カリウム、塩化アンモニウム、グルコース、スクロース、フルクトース、又はガラクトースを含むリストから選択される、請求項１に記載の液体供給装置。
【請求項３】
前記第１の容器の側壁が前記第２の容器の側壁をも形成し、前記第２の容器からの前記第２の液体の流れを抑制するように、前記第１の容器及び前記第２の容器の前記側壁が湾曲している、請求項１又は２に記載の液体供給装置。
【請求項４】
前記側壁は、前記液体供給装置が第１の角度だけ回転された場合に、前記第１の液体の所定の部分のみが前記第１の容器の前記端部における前記開口部に流れて外に出ることを可能にし、
前記液体供給装置が前記第１の角度よりも大きい第２の角度だけ回転された場合に、前記第１の液体の第２の所定の部分が前記第１の容器の前記端部における前記開口部に流れて外に出ることが可能である、
請求項３に記載の液体供給装置。
【請求項５】
前記第１の容器の前記端部における前記開口部及び前記第２の容器の前記端部における前記開口部はキャップ内に位置しており、前記キャップは、前記液体供給装置から取り外し可能であり、よって前記第１の容器内の前記第１の液体及び前記第２の容器内の前記第２の液体は補充されることが可能である、請求項３又は４に記載の液体供給装置。
【請求項６】
前記第１の容器の前記端部における前記開口部は第１の弁を備え、前記第２の容器の前記端部における前記開口部は第２の弁を備える、請求項１又は２に記載の液体供給装置。
【請求項７】
前記第１の弁は、前記第１の液体の所定の部分のみが前記第１の弁から出ることが可能なように構成されており、及び／又は前記第２の弁は、前記第２の液体の所定の部分のみが前記第２の弁から出ることが可能なように構成されている、請求項６に記載の液体供給装置。
【請求項８】
前記第１の弁は前記第２の弁よりも速く、開位置から閉位置へと及び／又は前記閉位置から前記開位置へと移行するように構成されている、
又は、
前記第１の弁及び前記第２の弁は、前記第１の弁及び前記第２の弁が同時に前記開位置から前記閉位置へと移行し、かつ同時に前記閉位置から前記開位置へと移行するように構成されるように、複合弁の一部を形成している、
請求項６又は７に記載の液体供給装置。
【請求項９】
前記第１の弁及び／又は前記第２の弁は前記閉位置に付勢されており、前記付勢に打ち勝つために、前記弁の前後の圧力差が必要である、請求項６〜８のいずれか一項に記載の液体供給装置。
【請求項１０】
前記第１の弁及び前記第２の弁はキャップ内に位置しており、前記キャップは前記液体供給装置から取り外し可能であり、よって前記第１の容器内の前記第１の液体及び前記第２の容器内の前記第２の液体は補充されることが可能である、請求項６〜９のいずれか一項に記載の液体供給装置。
【請求項１１】
前記第２の容器は管及び流体保持要素を備え、
前記第２の容器の前記端部における前記開口部は、前記管の第１の端部に位置しており、
前記管の第２の端部は、前記流体保持要素の内部に位置しており、
前記流体保持要素は前記第２の液体を収容し、
前記管は前記第１の容器を貫通している、
請求項１又は２に記載の液体供給装置。
【請求項１２】
前記第１の容器は弾性的に変形可能であり、前記第１の容器を変形させることにより、前記第１の液体が前記第１の容器の前記第１の端部における前記開口部を通って流れるようになる、請求項１１に記載の液体供給装置。
【請求項１３】
前記第１の容器を変形させることにより、
前記第１の液体の一部分が前記第１の容器の前記第１の端部における前記開口部を通って流れること、及び、
前記第２の容器の前記管の前記第１の端部における前記開口部を通る前記第２の液体の流れが抑制されること、
のうちの少なくとも１つが生じる、
請求項１２に記載の液体供給装置。
【請求項１４】
前記第２の容器の前記管は弾性的に変形可能であり、前記第１の容器を変形させることにより、前記第２の容器の前記管は変形し、前記第２の容器の前記管の前記第１の端部における前記開口部から出る前記第２の液体の前記流れを抑制する、請求項１２又は１３に記載の液体供給装置。
【請求項１５】
前記第１の液体を前記第１の容器の前記端部における前記開口部から流出させるために、前記第１の容器の前記端部における前記開口部での吸引が必要であり、前記吸引は、例えば、
所定量の前記第１の液体を前記第１の容器の前記端部における前記開口部から流出させるような、前記第１の容器の前記端部における前記開口部での吸引、及び、
前記第２の液体を前記第２の容器の前記管の前記第１の端部における前記開口部から流出させるために必要である、前記第２の容器の前記管の前記第１の端部における前記開口部での吸引、
のうちの少なくとも１つである、請求項１１〜１４のいずれか一項に記載の液体供給装置。
【発明の詳細な説明】
【技術分野】
【０００１】
[0001]本開示は、液体供給装置に関する。特に、しかし非排他的に、様々な液体を供給するための液体供給装置に関する。
【背景技術】
【０００２】
[0002]糖類（スクロース）及び塩（塩化ナトリウム）などの味物質の味覚感覚を高めることができ、これにより食品及び飲料において同等の味覚印象をもたらすが、使用する添加物の程度を低くすることへの関心がある。世界保健機関（ＷＨＯ）は、先進国における塩及び糖類の摂取を、ひとり１日当たり、ナトリウム２ｇ及び砂糖５０ｇまで減少させることを推奨している。
【０００３】
[0003]２種以上の液体を収容及び供給できる装置の例は、英国特許出願公開第４３２４００（Ａ）号、欧州特許出願公開第３０３３２９７（Ａ１）号、米国特許出願公開第２０１６１１４９４２（Ａ）号、欧州特許出願公開第１６２８８８５（Ａ１）号、ＣＮ２６５８０７７Ｙ、欧州特許出願公開第２６５３４０５（Ａ１）号、ＣＮ２０２７１７０８９Ｕ、及び米国特許出願公開第２００７０７５０７９（Ａ）号に見られる。
【発明の概要】
【０００４】
[0004]特定の態様及び実施形態は、添付の特許請求の範囲に記載されている。
【０００５】
[0005]第１の態様から見ると、本開示は、塩及び糖類などの味物質の味覚感覚を高める液体を収容及び供給するための装置を提供することができる。
【０００６】
[0006]特定のアプローチでは、液体供給装置が提供され得る。液体供給装置は、第１の液体を収容する第１の容器を備える。第１の容器は、第１の容器の端部に開口部を有する。液体供給装置はまた、第１の容器に隣接する第２の容器を備える。第２の容器は第２の液体を収容し、第２の容器は第２の容器の端部に開口部を有する。第１の容器の端部における開口部は、第２の容器の端部における開口部に近接している。第１の容器及び第２の容器は、第１の液体を第２の液体から隔てる。第１の液体及び第２の液体のうちの一方は、他方の液体に本質的に存在しない味物質を含有する。又は相対的に異なる量で存在する味物質を含有する。第１の容器及び第２の容器の構成、並びに／又は第１の容器の端部における開口部及び第２の容器の端部における開口部の構成は、第１の液体及び第２の液体が装置から注がれる場合に、第１の液体が第１の容器の端部における開口部を通って流れ、第２の液体が第２の容器の端部における開口部を通って流れ、それにより、第２の液体が第２の容器の端部における開口部から出始める前に、第１の液体が第１の容器の端部における開口部から出始めるような構成である。液体に「本質的に存在しない」味物質は、例えば、その味物質の知覚のための閾値を下回る濃度で存在してもよい。知覚閾値は味物質に応じて変化し、高甘味甘味料では非常に少量である。液体に「本質的に存在しない」味物質は、例えば、ＥＣ５０値の１０％を下回る濃度で存在してもよい。ＥＣ５０値は味物質が最大反応の半分を示す濃度である。味物質がスクロースである状況では、「本質的に存在しない」は、１０ｍＭ未満の濃度と見なされ得る。本発明との関連で、「比較的異なる」量の味物質を含有する２つの液体は、少なくとも５％、例えば少なくとも１０％、例えば少なくとも２０％、例えば少なくとも３０％、例えば少なくとも４０％、更なる例では少なくとも５０％だけ異なる味物質の濃度を有する２つの液体を指し得る。本発明との関連で、用語「隣接する」の意味は横並びを含むが、これに限定されない。
【０００７】
[0007]別の特定のアプローチでは、液体供給装置が提供され得る。液体供給装置は、第１の液体を収容する第１の容器を備える。第１の容器は、第１の容器の端部に開口部を有する。液体供給装置はまた、第１の容器に隣接する第２の容器を備える。第２の容器は第２の液体を収容し、第２の容器は第２の容器の端部に開口部を有する。第１の容器の端部における開口部は、第２の容器の端部における開口部に近接している。第１の容器の湾曲した側壁が第２の容器の湾曲した側壁をも形成し、湾曲した側壁は第１の液体を第２の液体から隔てる。第１の液体及び第２の液体のうちの一方は、他方の液体に本質的に存在しない味物質を含有する、又は相対的に異なる量で存在する味物質を含有する。第１の液体及び第２の液体が装置から注がれる場合に、第１の液体が第１の容器の端部における開口部を通って流れ、第２の液体が第２の容器の端部における開口部を通って流れ、それにより、第２の液体が第２の容器の端部における開口部から出始める前に、第１の液体が第１の容器の端部における開口部から出始めるように、湾曲した側壁が第２の容器からの第２の液体の流れを抑制する。
【０００８】
[0008]別の特定のアプローチでは、液体供給装置が提供され得る。液体供給装置は、第１の液体を収容する第１の容器を備える。第１の容器は、第１の容器の端部に開口部を有する。液体供給装置はまた、第１の容器に隣接する第２の容器を備える。第２の容器は第２の液体を収容し、第２の容器は第２の容器の端部に開口部を有する。第１の容器の端部における開口部は、第２の容器の端部における開口部に近接している。第１の容器及び第２の容器は、第１の液体を第２の液体から隔てる。第１の液体及び第２の液体のうちの一方は、他方の液体に本質的に存在しない味物質を含有する、又は相対的に異なる量で存在する味物質を含有する。第１の容器の端部における開口部は第１の弁を備え、第２の容器の端部における開口部は第２の弁を備え、第１の液体及び第２の液体が装置から注がれる場合に、第１の液体が第１の弁を通って流れ、第２の液体が第２の弁を通って流れ、それにより、第２の液体が第２の弁から出始める前に、第１の液体が第１の弁から出始めるように、第１の弁及び第２の弁が構成されている。
【０００９】
[0009]別の特定のアプローチでは、液体供給装置が提供され得る。液体供給装置は、第１の液体を収容する第１の容器を備える。第１の容器は、第１の容器の端部に開口部を有する。液体供給装置はまた、第２の容器を備える。第２の容器は管及び流体保持要素を備える。流体保持要素は第２の液体を含有する。管は管の第１の端部に開口部を有し、管の第２の端部は流体保持要素の内部にある。管は第１の容器を貫通する。第１の容器の端部における開口部は、第２の容器の管の第１の端部における開口部に近接している。第１の容器及び第２の容器は、第１の液体を第２の液体から隔てる。第１の液体及び第２の液体のうちの一方は、他方の液体に本質的に存在しない味物質を含有する、又は相対的に異なる量で存在する味物質を含有する。第１の容器と第２の容器の管との構成は、第１の液体及び第２の液体が装置から注がれる場合に、第１の液体が第１の容器の端部における開口部を通って流れ、第２の液体が第２の容器の管の第１の端部における開口部を通って流れ、それにより、第２の液体が第２の容器の管の第１の端部における開口部から出始める前に、第１の液体が第１の容器の端部における開口部から出始めるような構成である。
【００１０】
[0010]それにより、味物質の異なる濃度を有する第１の液体及び第２の液体を引き続いて供給するために使用できる液体供給装置が提供され、その液体が、装置からの単一の連続的ひと口分（ｓｉｐ）としてユーザによって知覚される形態で、ユーザによって消費される。
【００１１】
[0011]ここで、様々な例示的実施形態を、以下の図面を参照して、単に例として詳細に説明する。
【図面の簡単な説明】
【００１２】
【図１】甘味の増強のために、単一のひと口分中に不均質に分布させたスクロースを使用した場合の、甘味強度と糖含有量のグラフである。
【図２】単一のひと口分中に分散させたカフェインの様々なサンプルの苦味強度のグラフである。
【図３】甘味の増強のために、複数のひと口分用の容器に不均質に分布させたスクロースを使用した場合の、甘味強度とひと口分の数のグラフである。
【図４Ａ】例示的な液体供給装置の概略的断面図である。
【図４Ｂ】例示的な液体供給装置の概略的断面図である。
【図５Ａ】図４に示す例示的な液体供給装置の使用時における一連の概略的断面図である。
【図５Ｂ】図４に示す例示的な液体供給装置の使用時における一連の概略的断面図である。
【図６】図４に示す例示的な液体供給装置の分解断面図である。
【図７Ａ】別の例示的な液体供給装置の概略的断面図である。
【図７Ｂ】別の例示的な液体供給装置の概略的断面図である。
【図８Ａ】図７に示す液体供給装置のキャップの斜視図である。
【図８Ｂ】図７に示す液体供給装置のキャップの斜視図である。
【図９Ａ】別の例示的な液体供給装置の概略的断面図である。
【図９Ｂ】別の例示的な液体供給装置の概略的断面図である。
【図１０Ａ】図９に示す液体供給装置の第１の容器の使用時における一連の概略断面図である。
【図１０Ｂ】図９に示す液体供給装置の第１の容器の使用時における一連の概略断面図である。
【図１０Ｃ】図９に示す液体供給装置の第１の容器の使用時における一連の概略断面図である。
【図１１】図９に示す例示的な液体供給装置の分解断面図である。
【発明を実施するための形態】
【００１３】
[0023]本開示は、味物質の様々な特性を有する複数の液体を保持及び供給して、その液体を消費者などのユーザに供給するように構成された液体供給装置に関する。それら液体は共に、ユーザが消費するための飲料（すなわち、消耗品）を形成してもよい。したがって、液体は、飲料の第１の部分及び第２の部分と考えてもよい。液体によって形成される飲料は、任意の飲料、例えば、茶、コーヒー、ホットチョコレート、若しくはスープなどの典型的には熱い状態で消費される飲料、又はアイスティー、フルーツジュース、飲むヨーグルト、若しくはミルクなどの典型的には冷たい状態で消費される飲料であってもよい。飲料は非炭酸飲料であってもよい。液体の一方又は両方は、栄養補助食品（ｎｕｔｒａｃｅｕｔｉｃａｌ）液体及び／又は薬剤液体を含んでもよい。飲料は非アルコール飲料であってもよい。飲料は、１回分当たり１５０未満の食品カロリー、例えば３３ｃＬ当たり１５０未満の食品カロリーを含んでもよい。飲料は、１回分当たり１００未満の食品カロリー、例えば３３ｃＬ当たり１００未満の食品カロリーを含んでもよい。飲料は、１回分当たり４０未満の食品カロリー、例えば３３ｃＬ当たり４０未満の食品カロリーを含んでもよい。
【００１４】
[0024]第１の液体と第２の液体との間に存在する味物質の異なる特性は、一定量の味物質を含有する液体、又は相対的に異なる量の味物質を含有する液体、のいずれか一方又は両方によって提供してもよい。味物質は、甘味、塩味、苦味、うまみ、酸味であってもよく、又は風味を有してもよい。味物質は、２つ以上の成分を含んでもよく、例えば、塩味の味物質は、塩化カリウム及び塩化アンモニウムから構成してもよい。第１の液体中の味物質の濃度と飲料中の味物質の全体的な濃度との比は、３：１〜１．１：１であってもよい。例えば、第１の液体は、第２の液体中に存在しない、少量存在する、又は相対的に異なる量で存在する味物質を含有してもよく、これは、ユーザが一般に肯定的に感じる味物質に対して適用してもよい一方で、第１の液体にはユーザが一般に否定的に感じる味物質が存在しなくてもよい、又は量が少なくてもよい。
【００１５】
[0025]第１の液体及び第２の液体の一部を一緒に消費することにより、混合された飲料の単一のひと口分が両方の液体を含むことが可能になる。したがって、液体供給装置から１回の供給動作で供給される第１の液体及び第２の液体の総体積は、普通のひと口分の体積よりも少ないか又は同等であり得る。普通のひと口分の体積は、性別、年齢、容器の大きさ、カップから飲むかストローで飲むか、及びシーケンス効果、などの要因に基づいてユーザ間で変化し得るが、約３０ｍＬという数値によって近似されると考えられ得る（例えば、Ｄｙｓｐｈａｇｉａ．２００３  Ｓｕｍｍｅｒ；１８（３）：１９６−２０２を参照）。以下で更に論じるように、本手法の様々な実施例では、液体供給装置を１回使用することにより、第１の液体及び第２の液体の一部が供給されるように、液体供給装置が液体を供給し、その結果、ユーザは飲料容量の部分を単一のひと口分として消費できる。
【００１６】
[0026]異なる味物質を有する第１の液体と第２の液体とを、差を付けて供給することを容易にするために、液体供給装置は、第１の液体が実質的に第２の液体の前に供給されるように構成される。更に後述するように、第１の液体の供給の終了と第２の液体の供給の開始とが重なり合ってもよい。このように機能する液体供給装置によって、液体供給装置は、以下の味覚感覚の原理にしたがって、飲料又は他の液体をユーザに提供できるようになる。味物質を含有する液体が、味物質のない液体の前に舌に接触した場合、全体的な味覚印象は、舌に当たる最初に液体中の味物質の濃度によって強く影響される。
【００１７】
[0027]以下の３つの例は、単一及び複数のひと口分における甘味及び苦味の感覚認知に関する実験データを提供する。
【００１８】
[0028]例１：単一のひと口分中に不均質に分布させたスクロースを使用した甘味の増強。
【００１９】
[0029]訓練を受けた評価者集団（ｎ＝１２）によって、本明細書に記載されるような液体供給装置などのパッケージングを使用して、定量的記述分析を経て、様々なサンプルの甘味を捕捉した。この例では、ベースとなる典型的なミルクチョコレート製品を使用した。
【００２０】
[0030]均質なサンプルは、１リットル当たりＹｇのスクロース及び１リットル当たり４０ｇのココア粉末（４％）を有する半脱脂乳を含有し、パッケージングの両方のチャンバ（第１の容器及び第２の容器と称されるか又は考えられ得る）を、この液体組成物で充填した。不均質なサンプルは、パッケージングの外側チャンバ内に、１リットル当たりＹｇの２倍のスクロース及び１リットル当たり４０ｇのココア粉末（４％）を有する半脱脂乳を含有し、パッケージングの内側チャンバ内に、１リットル当たり０ｇのスクロース（０％）及び１リットル当たり４０ｇのココア粉末（４％）を有する半脱脂乳を含有する。概して、不均質なサンプルは、均質なサンプルと同様に、１リットル当たりＹｇのスクロース（１０％）及び１リットル当たり４０ｇのココア粉末（４％）を有する半脱脂乳を含有する。
【００２１】
[0031]Ｙを、１リットル当たり５ｇの減少率で１リットル当たり５０ｇから１リットル当たり２０ｇまで変化させ、その結果、７つの不均質サンプル及び７つの均質サンプルが得られ、これら全てが、訓練を受けた感覚評価者集団によって甘味について記述された。１リットル当たり５０ｇ〜１リットル当たり３０ｇのスクロース含有量Ｙの全てに対して、不均質サンプルは、同じ濃度の均質サンプルよりも強いと知覚された。結果を図１に示し、統計的に異なる２つのサンプルには同じ文字を割り当てていない。差の統計的有意性が図１で視覚化されており、０．０５の個々の誤り率（９５％信頼度レベルと同等）（ＣＩ）を有する因子について計算された、Ｆｉｓｈｅｒの最小有意差（ＬＳＤ）事後多重比較分析を表すエラーバーを表示している。
【００２２】
[0032]この甘味増強は、知覚される甘味を変えることなくスクロース含有量を低減させるために使用することもできる。その理由は、例えば、不均質サンプル（１リットル当たりＹ＝３５ｇ＝３．５％）は、均質サンプル（１リットル当たりＹ＝５０ｇ＝５％）と同等の甘味が知覚され、これは３０％のスクロースの低減に対応するからである。
【００２３】
[0033]例２：単一のひと口分中に不均質に分布させたカフェインを使用した苦味マスキング。
【００２４】
[0034]訓練を受けた評価者集団（ｎ＝１２）によって、記載されたパッケージングを使用して、定量的記述分析を経て、様々なサンプルの苦味を捕捉した。この例では、ベースとなる典型的なミルクチョコレート製品を使用した。
【００２５】
[0035]サンプルは、１リットル当たり５０ｇのスクロース（５％）を有する半脱脂粉乳、１リットル当たり４０ｇのココア粉末（４％）、及び以下のいずれか：
・両方のチャンバ中に、１リットル当たり０ｇのカフェイン（基準サンプル）；
・両方のチャンバ中に、１リットル当たり０．４ｇのカフェイン（均質苦味）；
・外側チャンバ中に、１リットル当たり０．８ｇのカフェイン（不均質苦味ＯＵＴ）；
・内側チャンバ中に、１リットル当たり０．８ｇのカフェイン（不均質苦味ＩＮ）；
を含有する。
【００２６】
[0036]図２の結果は、サンプルの苦味強度が以下の順序でランク付けされたことを示す：基準＝不均質苦味ＩＮ＜均質苦味＝不均質苦味ＯＵＴ。これは、カフェインの苦味が、カフェインが内側チャンバ（又は容器）内に位置する場合に、カフェインを含有しない基準サンプルと同じレベルに低減され得ることを示す。
【００２７】
[0037]例３：複数のひと口分用の容器（様々なサンプルを保持するために２つの容器又はチャンバを有する容器と見なすことができる）中に不均質に分布させたスクロースを使用した甘味の増強。
【００２８】
[0038]訓練を受けた評価者集団（ｎ＝１２）によって、記載されたパッケージングを使用して、定量的記述分析を経て、様々なサンプルの甘味を捕捉した。この例では、ベースとなる典型的なミルクチョコレート製品を使用した。
【００２９】
[0039]基準サンプルは、１リットル当たり５０ｇのスクロース（５％）及び１リットル当たり４０ｇのココア粉末（４％）を有する半脱脂乳を含有し、パッケージングの両方のチャンバを、この液体組成物で充填した。スクロースを２５％減らした負の対照サンプルは、１リットル当たり３７．５ｇのスクロース（３．７５％）及び１リットル当たり４０ｇのココア粉末（４％）を有する半脱脂乳を含有し、パッケージングの両方のチャンバを、この液体組成物で充填した。不均質なサンプルは、パッケージングの第１の供給チャンバ内には、１リットル当たり７５ｇのスクロース（７．５％）及び１リットル当たり４０ｇのココア粉末（４％）を有する半脱脂乳を含有し、パッケージングの第２の供給チャンバ内には、１リットル当たり０ｇのスクロース（０％）及び１リットル当たり４０ｇのココア粉末（４％）を有する半脱脂乳を含有する。概して、不均質なサンプルは、均質なサンプルと同様に、１リットル当たり３７．５ｇのスクロース（３．７５％）及び１リットル当たり４０ｇのココア粉末（４％）を有する半脱脂乳を含有する。
【００３０】
[0040]それぞれ２０ｍＬ（各供給チャンバに対して１０ｍＬ）を含有する８個のパッケージングプロトタイプを使用して、均質の基準サンプル、スクロースを２５％減少させた均質の負の対照サンプル、又はスクロースを２５％減少させた不均質のプロトタイプを１６０ｍＬ供給した。
【００３１】
[0041]図３の結果は、１６０ｍＬの飲料の通常の摂取行動に対応する８回の連続するひと口分に沿って、不均質なプロトタイプは、糖を完全に含む基準サンプルよりも甘味が有意に少なくはないと見出された一方で、スクロースが２５％少ない均質の負の対照サンプルでは、基準サンプルよりも甘味が有意に少ないと見出されたことを示す。
【００３２】
[0042]上記で概略を述べたような、第１の液体及び第２の液体を供給するための液体供給装置及びその使用の様々な例を、ここで、図４〜図１１を参照して論じる。
【００３３】
[0043]図４は、例示的な液体供給装置１００の概略的断面図である。液体供給装置１００は、第１の液体１９０を収容する第１の容器１１０を備える。第１の容器１１０は、第１の端部１２０と、第１の端部１２０とは反対側の第２の端部１３０とを有する。図４に示す実施形態では、第１の液体１９０を第１の容器１１０から注がないように第１の容器１１０が向けられている場合は、第１の端部１２０は第１の容器１１０の頂部にあり、第２の端部は第１の容器１１０の底部にある。第１の容器１１０は、第１の容器１１０及び液体供給装置１００の外面を形成する１つ以上の側壁１４０を有する。第１の容器は、断面が円形、六角形、若しくは正方形であってもよく、又は任意の他の好適な形状であってもよい。
【００３４】
[0044]第１の容器１１０の第１の端部１２０は開口部１２５を有する。本実施例では、図４に示すように、開口部１２５は、第１の端部１２０の実質的に断面積全体に相当する。代替例では、開口部１２５は、第１の端部１２０の断面積の一部のみ、例えば、１０％以下、２５％、５０％、７５％、９０％、又はこれよりも大きい断面積に相当してもよい。開口部１２５が、第１の端部１２０の断面領域全体の全てよりも小さい領域に相当する実現形態では、開口部１２５は、第１の端部１２０の実質的に中央にあってもよく、又は第１の端部１２０の側面に向かってオフセットされていてもよい。第１の容器１１０における開口部１２５は、断面が円形、楕円形、六角形、若しくは三角形であってもよく、又は液体供給装置内からの液体の供給を可能にする任意の他の好適な形状であってもよい。開口部１２５は、第１の容器１１０と同じ又は異なる断面形状を有していてもよい。
【００３５】
[0045]本実施例の液体供給装置１００はまた、第２の容器２００を備える。第２の容器２００は第１の容器１１０に隣接している。第２の容器２００は、第２の液体２９０を収容する。第２の容器２００は、第１の端部２２０と、第１の端部２２０とは反対側の第２の端部２３０とを有する。図４に示す実施形態では、第２の液体２９０が第２の容器２００から注がないように第１の容器２００が配向されている場合は、第１の端部２２０は第２の容器２００の頂部にあり、第２の端部は第２の容器２００の底部にある。第２の容器２００は、第２の容器２００及び液体供給装置１００の外面を形成する１つ以上の側壁２４０を有する。第２の容器は、断面が円形、六角形、若しくは正方形であってもよく、又は任意の他の好適な形状であってもよい。
【００３６】
[0046]第１の容器１１０及び第２の容器２００は、第１の液体１９０を第２の液体２９０から隔てる。一実施形態では、第１の容器１１０の側壁１４５は、第２の容器２００の側壁１４５をも形成し、それによって第１の液体１９０を第２の液体２９０から隔てる。第１の液体１９０及び第２の液体２９０のうちの一方は、他方の液体に本質的に存在しない味物質を含有する。又は他方の液体と比較して異なる量で、例えばかなり少ない濃度で存在する味物質を含有する。
【００３７】
[0047]第２の容器２００の第１の端部２２０は開口部２２５を有する。図４に示すように、本実施例における開口部２２５は、第１の端部２２０の実質的に断面積全体に相当する。代替例では、開口部２２５は、第１の端部２２０の断面積の一部のみ、例えば、１０％以下、２５％、５０％、７５％、９０％、又はこれよりも大きい断面積に相当してもよい。開口部２２５が、第１の端部２２０の断面領域全体の全てよりも小さい領域に相当する実現形態では、開口部２２５は、第１の端部２２０の実質的に中央にあってもよく、又は第１の端部２２０の側面に向かってオフセットされていてもよい。第１の容器１１０の第１の端部１２０における開口部１２５は、第２の容器２００の第１の端部２２０における開口部２２５に近接している。第２の容器２００における開口部２２５は、第１の容器１１０における開口部１２５と同じ又は異なる断面形状を有していてもよい。
【００３８】
[0048]第１の容器１１０及び第２の容器２００の構成は、第１の液体１９０及び第２の液体２９０が液体供給装置１００から注がれる場合に、第１の液体１９０が第１の容器１１０の第１の端部１２０における開口部１２５を通って流れ、第２の液体２２５が第２の容器２００の第１の端部２２０における開口部２２５を通って流れ、それにより、第２の液体２９０が第２の容器２００の第１の端部２２０における開口部２２５から出始める前に、第１の液体１９０が第１の容器１１０の第１の端部１２０における開口部１２５から出始めるような構成である。
【００３９】
[0049]代替として又は加えて、第１の容器１１０の第１の端部１２０における開口部１２５及び第２の容器２００の第１の端部２２０における開口部２２５の構成は、第１の液体１９０及び第２の液体２９０が液体供給装置１００から注がれる場合に、第１の液体１９０が第１の容器１１０の第１の端部１２０における開口部１２５を通って流れ、第２の液体２２５を第２の容器２００の第１の端部２２０における開口部２２５を通って流れ、それにより、第２の液体２９０が第２の容器２００の第１の端部２２０における開口部２２５から出始める前に、第１の液体１９０が第１の容器１１０の第１の端部１２０における開口部１２５から出始めるような構成である。
【００４０】
[0050]図４に示す実施形態では、第１の液体１９０及び第２の液体２９０が液体供給装置１００から注がれる場合に、第１の液体１９０が第１の容器１１０の第１の端部１２０における開口部１２５を通って流れ、第２の液体２９０が第２の容器２００の第１の端部２２０における開口部２２５を通って流れ、それにより、第２の液体２９０が第２の容器２００の第１の端部２２０における開口部２２５から出始める前に、第１の液体１９０が第１の容器１１０の第１の端部１２０における開口部１２５から出始め、第２の容器２００からの第２の液体２９０の流れを抑制するように、第２の容器２００の側壁１４５も形成する第１の容器１１０の側壁１４５が湾曲していてもよい。
【００４１】
[0051]図４に示すように、側壁１４５は湾曲してＳ字形状になり、第２の容器２００内で点１４７においてネックを提供し、それにより、液体供給装置１００から第１の液体１９０及び第２の液体２９０を注ぐために液体供給装置１００を回転させた場合に、第２の容器２００からの第２の液体２９０の流れを抑制又は抑制する。側壁１４５は、任意の数の屈曲点を有する曲線、例えば、円弧、二重Ｓ字形状、又は立方体を形成してもよい。図４Ｂは、第１の容器１１０及び第２の容器２００の第１の端部１２０、２２０における、それぞれの開口部１２５、２２５の断面図である。図４Ｂに示すように、第２の容器２００における開口部２２５は、第１の容器１１０における開口部１２５よりも小さい断面積を有する。第２の容器２００における開口部２２５はまた、第１の容器１１０における開口部１２５とは異なる断面形状を有する。これはまた、第２の液体２９０の流れに対する制限をもたらし、それにより、第２の液体２９０が第２の容器２００の第１の端部２２０における開口部２２５から出始める前に、第１の液体１９０が第１の容器１１０の第１の端部１２０における開口部１２５から出始めることになる。本実施例では、第１の容器１１０内の第１の液体１９０の体積は、第２の容器２００内の第２の液体２９０の体積よりも大きい。このことは、液体供給装置１００から第２の液体２９０を流出させるために液体供給装置１００を回転させなければならない角度が、液体供給装置１００から第１の液体２９０を流出させるために液体供給装置１００を回転させなければならない角度よりも大きく、それにより、第２の液体２９０が第２の容器２００の第１の端部２２０における開口部２２５から出始める前に、第１の液体１９０が第１の容器１１０の第１の端部１２０における開口部１２５から出始めることを意味する。
【００４２】
[0052]図４に示す実施形態では、液体供給装置１００が第１の角度だけ回転された場合に、第１の液体１９０の所定の部分のみが第１の容器１１０の第１の端部１２０における開口部１２５に流れて外に出ることが可能なように、第２の容器２００の側壁１４５も形成する第１の容器１１０の側壁１４５が湾曲している。図５に示すように、側壁１４５のＳ字形状は、第１の容器内で点１４７においてトラフ又はトラップを形成する。図４に示すような向きの液体供給装置１００が、図５Ａに示すように第１の角度１５０だけ反時計回りに回転された場合、第１の液体１９０の液面１９５は側壁１４５の上方にあり、したがって、第１の液体１９０の部分が第１の容器１１０の第１の端部１２０における開口部１２５から流出できる。第２の流体２９０の液面２９５は、第２の容器２００の第１の端部２２０における開口部２２５の上方にあり、したがって、第２の液体２９０は、第２の容器２１０の第２の端部２２０における開口部２２５から流出できる。
【００４３】
[0053]図５Ｂに示すように、第１の液体１９０の第２の部分は、トラフ内で点１４７に集まり、側壁１４５を越えて第１の容器１１０の第１の端部１２０における開口部１２５から流れ出ることはできない。次に、第１の角度１５０よりも大きい第２の角度１６０だけ液体供給装置１００が回転された場合、第１の液体１９０のこの第２の所定の部分は、第１の容器１１０の第１の端部１２０における開口部１２５に流れて外に出ることが可能になる。これにより、液体供給装置１００が使用される毎に、第１の液体１９０の部分のみが液体供給装置１００から流出することになる。
【００４４】
[0054]液体供給装置１００が最初に使用される場合は、液体供給装置１００は第１の角度１５０だけ回転され、第２の液体２９０の前に第１の液体１９０が液体供給装置１００から流出し始めるが、第１の液体１９０の部分のみが供給されるのに対して、第２の液体は液体供給装置１００から流出し続ける。ユーザが所望の体積の液体をいったん得た時点で、液体供給装置１００は回転されて元の向きに戻る。ユーザが、例えば２口目を飲むために、液体供給装置１００を２回目に使用することを望んだ場合、第２の液体２９０よりも前に第１の液体１９０が液体供給装置１００から流出し供給されるように、液体供給装置１００は第１の角度よりも大きい第２の角度１６０だけ回転される。液体供給装置１００が第２の角度だけ回転された場合、第１の液体１９０の部分はトラップ又はトラフ内に含有され、液体供給装置１００から流出できなくなる。それに応じて、第１の液体１９０は液体供給装置１００から流出しなくなるのに対して、第２の液体は液体供給装置１００から流出し続ける。液体供給装置１００から第１の液体をより多く供給するために、ユーザは液体供給装置１００を第２の角度よりも大きい角度だけ回転させなければならない。このことは、液体供給装置１００が使用される毎に、例えば、ユーザが飲料をひと口分を飲む場合に、第１の液体１９０の部分が第１の容器１１０内に留まることになり、それにより、第２の液体２９０が液体供給装置１００から枯渇するまで、ひと口分を飲む毎に、第２の液体２９０の前に第１の液体１９０の部分が常に液体供給装置１００から供給されることを意味する。
【００４５】
[0055]いくつかの実施形態では、第１の容器１１０は、第１の容器１１０の第１の端部１２０における開口部１２５に向かって先細りになっており、第２の容器２００は、第２の容器２００の第１の端部２２０における開口部２２５に向かって先細りになっている。これにより、液体供給装置１００の断面領域は全体的に、第１の容器１１０の第１の端部１２０及び第２の容器２００の第１の端部２２０に向かって細くなり、これにより、ユーザが自分の口の中に簡単に収めることができる、又は保持できるマウスピースが形成されて、液体供給装置１００から注ぐ時に、第１の液体１９０及び第２の液体２９０のこぼれが防止される。一実施形態では、第１の液体１９０及び第２の液体２９０が液体供給装置１００から注がれる場合に、液体供給装置１００が特定の向きに保持されることが促進されるように、第１の容器１１０の先細りと第２の容器２００内の先細りは非対称である。図４に示すように、第１の容器１１０及び第２の容器は、側壁１４５に対して対称的な先細りにはなっていない。側壁１４５は、第２の容器に向かって湾曲している一方で、第２の容器２００の第１の端部２２０に向かう、第２の容器２００の側壁２４０は、第１の容器１１０の第１の端部１２０に向かう、第１の容器１１０の側壁１４０よりも、より湾曲しており、それにより、液体供給装置１００の対称な端部を形成している。これにより、ユーザが、液体供給装置１００を特定の向きに保持し、液体供給装置１００を所定の方向に回転させて、液体供給装置１００から第１の液体１９０及び第２の液体２９０を注ぐことが促進される。その理由は、液体供給装置１００が特定の方向に回転されている場合には、第１の液体１９０及び第２の液体２９０の流れが抑制される程度は、より少ないからである。第１の容器１１０及び第２の容器２００における先細りはまた、ユーザの下唇が第２の容器の側壁２４０上に置かれ、ユーザの上唇が第１の容器の側壁１４０上に置かれた場合に、ユーザの口により容易に収まり、これにより、第１の液体１９０及び第２の液体２９０が液体供給装置１００から注がれる場合に、ユーザが液体供給装置１００を特定の向きで保持することが促進される。側壁２４０の先細り及び曲率はまた、第２の容器２００の第１の端部２２０に向かってトラフ又はトラップを提供するように第２の容器２００を形作る役割を担ってもよく、トラフ又はトラップはまた、ユーザが第１の液体及び第２の液体をひと口分吸うか又は飲むために、液体供給装置が回転された場合に、第２の容器２００からの第２の液体２９０の流れを制御する役割を担ってもよい。第１の容器１１０の第２の端部１３０に向かう、第１の容器１１０の側壁１４０、及び第２の容器２００の第２の端部２３０に向かう、第２の容器２００の側壁２４０はまた、液体供給装置１００が特定の向きに保持された場合に、ユーザの手により良好に適合するように湾曲又は隆起していてもよい。例えば、第１の容器１１０の側壁１４０は、ユーザの指に適合する一連の４つの隆起部及びトラフを含んでもよいのに対して、第２の容器２００の側壁２４０は、ユーザの親指に適合する単一の隆起部及びトラフを有してもよく、それにより、ユーザが液体供給装置１００を特定の向きで保持することが促進される。
【００４６】
[0056]いくつかの実施形態では、第１の容器１１０の開口部１２５及び第２の容器２００の開口部２２５のいずれか又は両方は、ユーザが液体供給装置１００からひと口分吸うか又は飲むために、装置が回転された場合に、第１の液体及び／又は第２の液体の流れを制御することを更に支援するための、弁などの構造体を含む。そのような弁は、液体供給装置１００の１回転中に供給される液体の各々の最大量を制限するように動作してもよい。代替として又は加えて、そのような弁は、第１の液体１９０及び第２の液体２９０の供給の続いて起こる開始を制御するように動作してもよい。
【００４７】
[0057]図６に示すように、第１の容器１１０の第１の端部１２０における開口部１２５及び第２の容器２００の第１の端部２２０における開口部２２５はキャップ３００内に位置している。キャップ３００は、液体供給装置１００から取り外し可能であり、よって第１の液体１９０及び第２の液体２９０のうちの１つ以上が枯渇した場合に、第１の容器１１０内の第１の液体１９０及び第２の容器２００内の第２の液体２９０を補充することが可能である。キャップ３００は、任意の好適な取り付け手段、例えば、スナップ嵌めジョイント、ねじ（ｓｃｒｅｗ  ｔｈｒｅｗ）、又はラッチ若しくはクリップなどの保持手段を有するヒンジ機構によって、液体供給装置１００の残りの部分に取り付けてもよい。キャップを一方向でのみ再び嵌めることができるように、液体供給装置１００の外形、及び／又はキャップ３００と液体供給装置１００の残部との間の接合部における第１の容器１１０及び第２の容器２００の断面形状は非対称であってもよく、それにより、いったんキャップが元に戻された時点で、液体供給装置１００の正しい向き及び使用が実現される。キャップ３００の部分は、隆起、刻み、窪み、又は任意の他の好適な表面テクスチャ若しくはパターンを有して、ユーザがキャップ３００を把持することを手助けし、液体供給装置１００の残りの部分からキャップ３００を取り外すことを容易にしてもよい。
【００４８】
[0058]このように、これまで、装置からの単一の連続したひと口分としてユーザによって知覚される形態でユーザが消費するために、味物質の異なる濃度を有する第１の液体及び第２の液体を引き続いて供給するために使用できる液体供給装置の第１の例を説明してきた。
【００４９】
[0059]図７は、液体供給装置１００の別の例の概略的断面図であり、同様の構成要素は、図４〜図６で使用されるものと同じ参照符号で示す。図７に示す一実施形態では、第１の容器１１０の側壁１４５は、第２の容器２００の側壁１４５をも形成し、それによって第１の液体１９０を第２の液体２９０から隔てる。代替として、第１の容器１１０及び第２の容器２００の一方又は両方は、共通の要素を持たない変形可能な袋又はパウチであってもよく、それにより、第２の液体２９０から第１の液体１９０を隔てるための２つの隔てられた容器が提供される。
【００５０】
[0060]図７に示す実施形態では、第１の容器１１０の第１の端部１２０における開口部は第１の弁１２８を備え、第２の容器２００の第１の端部２２０における開口部は第２の弁２２８を備える。第１の弁１２８及び第２の弁２２８はそれぞれ、液体供給装置１００から出る第１の液体１９０及び第２の液体２９０の流れを調節する。したがって、第１の液体１９０及び第２の液体２９０が液体供給装置１００から注がれる場合に、第２の液体２９０が第２の弁２２８から出始める前に、第１の液体１９０が第１の弁１２８から出始めるように、第１の液体１９０を第１の弁１２８を通して流し、第２の液体２９０を第２の弁２２８を通して流すように、第１の弁１２８及び第２の弁２２８が構成されている。
【００５１】
[0061]第１の弁１２８及び第２の弁２２８の各々は開位置及び閉位置を有する。開位置では、液体は弁を通過できる一方で、閉位置では、液体は弁を通過できない。図６Ａは、それぞれの閉位置にある第１の弁１２８及び第２の弁２２８を示し、一方で図６Ｂは、それぞれの開位置にある第１の弁１２８及び第２の弁２２８を示す。図６Ａ及び図６Ｂに示す弁は、外側部分１２８ａ、２２８ａ及び内側部分１２８ｂ、２２８ｂを有するキャップタイプであり、弁は、外側部分１２８ａ、２２８ａを、対応する内側部分１２８ｂ、２２８ｂに対して摺動又は回転させることにより閉位置から開位置へと移行され、それにより液体が流れることができる間隙又は穴が形成される。代替として、弁は隔膜弁であってもよく、閉位置から開位置への移行は、隔膜を変位させることによって実施される。代替として、弁は、ボール弁、逆止弁、蝶形弁、又は任意の他の好適な種類の弁であってもよい。第１の弁１２８は、第２の弁２２８と同じタイプの弁であってもよく、又は異なるタイプの弁であってもよい。
【００５２】
[0062]第１の弁１２８及び第２の弁２２８は、第１の弁２２８を通る第１の液体１９０の最大流量が、第２の弁２２８を通る第２の液体２９０の最大流量よりも大きいように構成されていてもよい。例えば、第１の弁１２８が開位置にあるときの第１の弁１２８の開口部の大きさは、第２の弁２２８が開いているときの第２の弁２２８の開口部の大きさよりも大きくてもよく、それにより、第２の流体２９０が第２の弁２２８を通って流れるよりも、より多くの第１の液体１９０が第１の弁１２８を通って流れることが可能になり、したがって、より高い最大流量が実現される。
【００５３】
[0063]いくつかの実施形態では、第１の弁１２８は、第２の弁２２８と同時に、開位置から閉位置へと及び／又は閉位置から開位置へと移行するように構成されている。例えば、第１の弁及び第２の弁が複合弁の一部を形成し、その結果、第１の弁及び第２の弁が同時に開位置から閉位置へと移行し、同時に閉位置から開位置へと移行するように構成してもよい。このことは、ユーザは単一の弁を操作するだけでよく、それにより、液体供給装置の誤用のリスクが低減することを意味する。例えば、図６Ａ及び図６Ｂに示すキャップ型弁は、一体型の又は共通の外側部分１２８ａ、２２８ａを有し、その結果、単一の外側部分１２８ａ、２２８ａを摺動又は回転させることにより、第１の弁１２８及び第２の弁２２８の両方が、開位置から閉位置へと及び閉位置から開位置へと移行してもよい。
【００５４】
[0064]代替として、第１の弁１２８は第２の弁２２８よりも速く、開位置から閉位置へと及び／又は閉位置から開位置へと移行するように構成してもよい。例えば、図６Ａ及び図６Ｂに示すキャップ型弁は、第１の弁１２８の外側部分１２８ａを閉位置から開位置に又はその逆に移行させるために第１の弁１２８の内側部分１２８ｂに対して摺動又は回転させなければならない距離が、第２の弁２２８の外側部分２２８ａを閉位置から開位置に又はその逆に移行させるために第２の弁２２８の内側部分２２８ｂに対して摺動又は回転させなければならない距離よりも小さく、それにより、第１の弁１２８内に形成された空隙が第２の弁２２８内に形成された空隙よりも速く開閉されることになる。代替として、第１の弁１２８及び第２の弁２２８が隔膜型弁である場合、第１の弁１２８は、隔膜をオフセットするには第２の弁２２８よりもより低い圧力を必要とするように構成され、それにより、第１の弁は第２の弁よりも速く、閉位置から開位置に又はその逆に移行することになる。これら実施形態では、ユーザが第１の弁１２８及び第２の弁２２８を開け始めると、第１の弁１２８は、第２の弁２２８より前に開位置に移行し、それにより、第２の液体２９０が第２の弁２２８を通って流れ始める前に、第１の液体１９０が第１の弁１２８を通って流れ始めるようになる。
【００５５】
[0065]いくつかの実施形態では、第１の弁１２８は、第１の液体１９０の所定の部分のみが第１の弁１２８から出ることを可能にするように構成されている。加えて又は代替として、第２の弁２２８は、第２の液体２９０の所定の部分のみが第２の弁２２８から出ることを可能にするように構成されている。第１の液体１９０の所定の部分は、第２の液体２９０の所定の部分よりも少なくても、多くてもよく、又は第２の液体２９０の所定の部分と等しくてもよい。例えば、第１の液体１９０の所定の部分は、第２の液体２９０の所定の部分よりも小さくてもよく、それにより、第２の液体２９０が第２の弁２２８を通って流れなくなる前に、第１の液体１９０が第１の弁１２８を通って流れなくなる。第２の液体２９０の所定の部分は、平均的なユーザにとって、口いっぱいの単一のひと口分に対応してもよく、それにより、ユーザが容易に受け取ることができる飲料の量が調節され得る。例えば、ユーザが液体供給装置１１０からひと口分又は口いっぱい分を飲むことを望んだ場合、ユーザは、第１の弁１２８及び第２の弁２２８を口の近くに若しくは口の中に置き、例えば、外側部分１２８ａ、２２８ａを内側部分２２８ａ、２２８ｂに対して摺動又は回転させることによって、又は、例えば、第１の容器１１０の側壁１４０及び第２の容器２００の側壁２４０を押しつぶすことにより若しくは第１の容器１１０の第１の端部１２０及び第２の容器２００の第１の端部２２０から吸引することにより、第１の弁１２８及び第２の弁２２８を横切る圧力を変化させることによって、弁を作動させることができる。第１の弁１２８は、第２の弁２２８よりも速く、閉位置から開位置に移行するように構成されているので、第２の液体２９０が第２の弁２２８を通って流れ始める前に、第１の液体１９０が第１の弁１２８を通って流れ始めることになる。いったん第１の液体１９０の所定の部分が第１の弁１２８から出てしまったら、第１の液体１９０は第１の弁１２８を通って流れなくなる一方で、第２の液体２９０は、第２の液体２９０の所定の部分が第２の弁２２８から出てしまうまで第２の弁２２８を通って流れ続ける。この時点では、これ以上の液体が液体供給装置から出ることはない。この例では、より多くの液体を供給するために、ユーザは、第１の弁１２８及び第２の弁２２８を開位置から閉位置へと移行させ、次いで、このプロセスを再び繰り返す必要がある。ユーザは、第１の液体１９０及び第２の液体２９０の所定の部分を受け取るために、第１の液体１９０及び第２の液体２９０のうちの１つ以上がそれぞれ、第１の容器１１０及び第２の容器２００から枯渇するまで、このプロセスを継続して繰り返すことができる。
【００５６】
[0066]いくつかの実施形態では、第１の弁及び第２の弁のうちの１つ以上は、閉位置において付勢力が加えられている。例えば、第１の弁１２８及び第２の弁を閉位置から開位置へと移行させるためには力が必要とされ得るが、力が取り除かれた場合、第１の弁１２８及び第２の弁２２８は自動的に閉位置に戻ることになる。キャップ型弁の場合、外側部分１２８ａ、２２８ａはばね付きであってもよく、その結果、力が加えられていない場合は外側部分１２８ａ、２２８ａが閉位置に留まったままであってもよい。
【００５７】
[0067]いくつかの実施形態では、付勢力に打ち勝つために、弁を横切る圧力差が必要である。隔膜弁の場合は、隔膜は、閉位置に留まるように構成されていてもよく、圧力がほとんど印加されないか又は全く印加されない。この例では、そのとき、隔膜を閉位置から開位置に移行させるためには、弁を横切る圧力差を印加しなければならない。圧力差が取り除かれた場合、ダイアグラム（diagram）は開位置から閉位置に自動的に移行することになる。第１の容器１１０及び／又は第２の容器２００の側壁１４０、１４５、２４０は、第１の容器１１０及び第２の容器２００の容積を減少させるために、ユーザが側壁１４０、１４５、２４０を一緒に内向きに押しつぶすことができるように弾性的に変形可能であってもよく、それにより、第１の弁１２８及び第２の弁２２８を横切る圧力差がもたらされ、その結果、第１の弁１２８及び第２の弁２２８がそれぞれの開位置に移行し、それにより、第１の液体１９０が第１の弁１２８から流出し、第２の液体２９０が第２の弁２２８から流出することが可能になる。ユーザが側壁１４０、１４５、２４０を押しつぶすことを止めるか又は側壁１４０、１４５、２４０から力を取り除いた場合、側壁はその元の形状及び構成に戻り、それにより、第１の容器１１０及び第２の容器２００はその元の容積に戻り、したがって、第１の弁１２８及び第２の弁２２８を横切る圧力差が取り除かれ、その結果、第１の弁１２８及び第２の弁２２８はそれぞれの閉位置に自動的に移行して戻り、第１の液体１２８及び第２の液体２２８が液体供給装置１００から流出することが防止される。これにより、ユーザは、液体供給装置１００を使用する毎にユーザが受け取る飲料の量を制御できる。その理由は、ユーザは、液体供給装置１００からの第１の液体１９０及び第２の液体２９０の流れを開始するために、液体供給装置１００を押しつぶし、次いで、ユーザが所望の量の飲料、例えば、ひと口分又は口いっぱい分を飲み終えた時に、液体供給装置１００からの第１の液体１９０及び第２の液体２９０の流れを止めることができるからである。閉位置において付勢力が加えられている第１の弁１２８及び第２の弁２２８はまた、液体供給装置１００からの第１の液体１９０及び第２の液体２９０のこぼれを防止する。その理由は、液体供給装置１００からいかなる液体も流出させることなく、液体供給装置１００を任意の向きで保持できるからである。付勢力に打ち勝つ力を加えることによってのみ、液体が液体供給装置１００から流出することになる。
【００５８】
[0068]図８に示すように、第１の弁１２８及び第２の弁２２８は、キャップ３００内に位置している。キャップ３００は、液体供給装置１００から取り外し可能であり、よって第１の液体１９０及び第２の液体２９０のうちの１つ以上が枯渇した場合に、第１の容器１１０内の第１の液体１９０及び第２の容器２００内の第２の液体２９０を補充することが可能である。第１の容器１１０及び第２の容器２００が変形可能な袋又はパウチである場合などのいくつかの例では、補充は、袋又はパウチの一方又は両方を交換する形態をとってもよい。キャップ３００は、任意の好適な取り付け手段、例えば、スナップ嵌めジョイント、ねじ（ｓｃｒｅｗ  ｔｈｒｅｗ）、又はラッチ若しくはクリップなどの保持手段を有するヒンジ機構によって、液体供給装置１００の残りの部分に取り付けてもよい。キャップを一方向でのみ再び嵌めることができるように、液体供給装置１００の外形、及び／又はキャップ３００と液体供給装置１００の残部との間の接合部における第１の容器１１０並びに第２の容器２００の断面形状は非対称であってもよく、それにより、第１の弁１２８は第１の容器１１０に接続され、第２の弁２２８は第２の容器２００に接続されるようになる。キャップ３００の部分は、隆起、刻み、窪み、又は任意の他の好適な表面テクスチャ若しくはパターンを有して、ユーザがキャップ３００を把持することを手助けし、液体供給装置１００の残りの部分からキャップ３００を取り外すことを容易にしてもよい。
【００５９】
[0069]図８に示すように、キャップ３００はまた、ベント３１０を備える。図８Ａ及び図８Ｂは、キャップ３００の２つの斜視図である。ベント３１０は、空気が液体供給装置１００に入ることを可能にする。いくつかの実施形態では、ベント３１０は、キャップ３００の外部から、第１の容器１１０及び第２の容器２００のうちの１つ以上の中へと至る。キャップ３００は、分岐して第１の容器１１０及び第２の容器２００の各々の中に入る単一のベント３１０を備えてもよい。代替として、キャップ３００は、その各々が第１の容器１１０又は第２の容器２００のうちの１つに至る複数のベント３１０を備えてもよい。第１の容器１１０及び第２の容器２００が変形可能な袋又はパウチである場合は、ベントは、液体供給装置１００の中に至るのみであり、第１の容器１１０及び第２の容器２００の中に直接至らなくてもよい。この実施形態では、ベントは、空気が液体供給装置に入ることを可能にし、それにより、第１の容器１１０及び第２の容器２００の外側の圧力が低減し、よって、第１の容器１１０及び第２の容器２００に加えられた任意の外力又は圧力が取り除かれた場合に、第１の容器１１０及び第２の容器２００は、その元の形状に戻ることが可能になる。
【００６０】
[0070]いくつかの実施形態では、ベント３１０は、液体がベントを通って出ることを防止するための弁を備える。このようにして、空気のみがベント３１０を通過して液体供給装置１００の中に入ることができる。
【００６１】
[0071]したがって、これまで、ユーザによる消費のために、味物質の様々な濃度を有する第１の液体及び第２の液体を供給するために使用できる液体供給装置の別の例を説明してきたが、その例では、味物質の様々な濃度を有する飲料成分を連続的に供給することにより、ユーザはその飲料を、安定した風味を有する単一の飲料と知覚することが可能なようになっている。
【００６２】
[0072]図９は、液体供給装置１００の別の例の概略的断面図であり、同様の構成要素は、図４〜図８で使用されるものと同じ参照符号で示す。図９に示す実施形態では、第２の容器２００は、管２０２及び流体保持要素２０４を備える。第１の容器２００の第１の端部２２０における開口部２２５は、管２０２の第１の端部２２０に位置している。その時、管２０２は第１の容器１１０を貫通し、その結果、管２０２の第２の端部２０５が流体保持要素２０４の内部に位置し、流体保持要素２０４は第２の流体２９０を収容するようになる。図示した実施例では、管２０２の第２の端部２０５は、第２の容器２００の第２の端部２３０の方に位置している。代替例では、管２０２の第２の端部２０５は、第１の流体容器１１０に隣接する流体保持要素２０４の端部に位置してもよい。
【００６３】
[0073]第１の容器１１０と第２の容器２００の管２０２との構成は、第１の液体１９０及び第２の液体２９０が液体供給装置１００から注がれる場合に、第１の液体１９０が第１の容器１１０の第１の端部１２０における開口部１２５を通って流れ、第２の液体２９０が第２の容器２００の管２０２の第１の端部２２０における開口部２２５を通って流れ、それにより、第２の液体２９０が第２の容器２００の管２０２の第１の端部２２０における開口部２２５から出始める前に、第１の液体１９０が第１の容器１１０の第１の端部１２０における開口部１２５から出始めるような構成である。
【００６４】
[0074]図９Ａでは円筒として示されているが、流体保持要素２０４は、第２の液体２９０を収容するのに好適な任意の形状、例えば、球形、円錐台形、又は立方体であってもよい。図９Ａでは、第１の容器１１０はニップル形状であるが、第１の容器１１０は、第１の液体１９０を収容するのに好適な任意の形状であってもよい。いくつかの実施形態では、第１の容器は、第１の端部１２０に向かって先細りになっており、それにより、ユーザが自分の口の中に簡単に収めることができるマウスピースが形成されて、液体供給装置１００から注ぐ場合に、第１の液体１９０及び第２の液体２９０のこぼれが防止される。
【００６５】
[0075]図９Ｂは、第１の容器１１０と第２の容器２００の管２０２との、第１の端部１２０、２２０における、それぞれの開口部１２５、２２５の断面図である。図９Ｂに示すように、第１の容器１１０の第１の端部１２０における開口部１２５は、第２の容器２００の管２０２の第１の端部２２０における開口部２２５の周囲に円環を形成する。本実施例では、第２の容器２００の管２０２の第１の端部２２０における開口部２２５もまた、第１の容器１１０の第１の端部１２０における開口部１２５よりも小さい断面積を有する。これはまた、第２の液体２９０の流れに対する制限をもたらし、それにより、第２の液体２９０が第２の容器２００の管２０２の第１の端部２２０における開口部２２５から出始める前に、第１の液体１９０が第１の容器１１０の第１の端部１２０における開口部１２５から出始めることになる。
【００６６】
[0076]図９に示す実施形態では、第１の容器は弾性的に変形可能である。例えば、第１の容器１１０はゴム又は軟質プラスチック材料から製造されて、例えば、第１の容器１１０の側壁１４０をユーザの手で、又は、第１の容器１１０がユーザの口の中に挿入されている場合はユーザの唇若しくは歯で、押しつぶすことにより、ユーザが容易に変形できるようにしてもよい。
【００６７】
[0077]図１０Ａ〜図１０Ｃは、図９に示す液体供給装置１００の第１の容器１１０の使用時における一連の概略断面図である。図１０Ａは、非変形状態の第１の容器１１０を示す。図示されるように、非変形状態では、第１の液体１９０は完全に第１の容器１１０の内部に収容されている。
【００６８】
[0078]図１０Ｂは変形状態の第１の容器１１０を示す。図１０Ｂにおいて、第１の容器１１０の側壁１４０ａは非変形状態の第１の容器１１０の形状を表す一方で、第１の容器１１０の側壁１４０ｂは変形状態の第１の容器の形状を表す。図１０Ｂに示すように、例えば第１の容器１１０の側壁１４０に力を加えることによって、第１の容器１１０を変形させた場合、側壁は、その初期位置１４０ａから変形して、第１の容器１１０の内部と第２の容器２００の管２０２とに、より近い新しい位置１４０ｂになる。このように、第１の容器１１０を変形させることにより、第１の液体１９０は第１の容器１１０の第１の端部１２０における開口部１２５を通って流れるようになる。例えば、側壁を内向きに変形させることによって、第１の容器１１０の容積が減少し、よって、第１の液体の液面が、第１の容器１１０の第１の端部１２０における開口部１２５に到達するまで、液面が上昇する。代替として、特に第１の容器１１０の第１の端部１２０が反転される（下方に向く）場合に、第１の液体１９０が重力の影響下で開口部１２５から自由に流れることを回避するために、第１の液体１９０は表面張力効果によって第１の容器１１０内に保持してもよい。上述の方法で第１の容器１１０を変形させることにより、表面張力に打ち勝つ力が提供され、それにより、第１の液体が第１の容器１１０の第１の端部１２０における開口部１２５を通って流れることが可能になる。第１の容器１１０の側壁から力が取り除かれると、側壁は、その非変形の初期位置１４０ａに戻り、第１の液体１９０は、第１の容器１１０の第１の端部１２０における開口部１２５を通って流れることを停止する。
【００６９】
[0079]いくつかの実施形態では、第１の容器１１０を変形させることにより、第１の液体１９０の部分は第１の容器１１０の第１の端部１２０における開口部１２５を通って流れるようになる。例えば、第１の容器１１０に力が加えられた場合、第１の容器１１０の側壁１４０は変形して、その初期位置１４０ａからその新しい位置１４０ｂになり、よって、第１の液体１９０の部分が第１の容器１１０の第１の端部１２０における開口部１２５から流出する。側壁１４０が、その新しい変形位置１４０ｂにある場合は、これが、第１の容器１１０内に収縮部又はネックを形成し、それにより、第１の容器１１０の第１の端部１２０における開口部１２５から、これ以上の第１の液体が流出することが防止される。この配置では、もっと多くの第１の液体を第１の容器１１０の第１の端部１２０における開口部１２５から流出させるためには、第１の容器に加えた力を取り除き、側壁１４０を、その非変形の初期位置１４０ａに戻させ、そして側壁１４０に力を再印加しなければならない。これにより、側壁１４０は変形して、その初期位置１４０ａからその変形位置１４０ｂに戻り、よって、第１の液体１９０の第２の部分が第１の容器１１０の第１の端部１２０における開口部１２５から流出する。いくつかの実施形態では、第１の容器１１０の第１の端部１２０における開口部１２５から液体１９０の第２の部分を流出させるためには、第１の容器１１０の第１の端部１２０における開口部１２５から液体１９０の第１の部分を流出させるために必要であった変形よりも、より大きく第１の容器１１０を変形させる必要がある。第１の容器１１０の第１の端部１２０における開口部１２５から第１の液体１９０の部分を流出させるためには、それゆえ、第１の液体１９０のそれ以降の部分の各々には、第１の容器１１０の、より大きな変形が必要となるであろう。
【００７０】
[0080]いくつかの実施形態では、第１の液体１９０を第１の容器の第１の端部１２０における開口部１２５から流出させるためには、第１の容器の第１の端部１２０における開口部１２５での吸引が必要である。上述のように、第１の液体１９０は、表面張力効果によって第１の容器１１０内に保持されてもよい。第１の容器１１０の第１の端部１２０における開口部１２５での吸引は、この表面張力効果に打ち勝つ力を提供し、それにより、第１の液体１９０が第１の容器１１０の第１の端部１２０における開口部１２５から流出することが可能になる。第１の容器が弾性的に変形可能である場合は、第１の容器１１０の第１の端部１２０における開口部１２５から吸引することによっても、第１の容器１１０の内側と外側との間の圧力差に起因して第１の容器１１０を変形させることができる。
【００７１】
[0081]いくつかの実施形態では、第１の容器１１０の第１の端部１２０における開口部１２５での吸引が、所定量の第１の液体１９０を第１の容器１１０の第１の端部１２０における開口部１２５から流出させる。例えば、第１の容器１１０が弾性的に変形可能でない場合は、第１の容器１１０の第１の端部１２０における開口部１２５から吸引すると、所定量の第１の液体１９０が第１の容器１１０の第１の端部１２０における開口部１２５から流出することになるが、第１の容器１１０の第１の端部１２０における開口部１２５から、これ以上の第１の液体１９０を流出させるためには、第１の容器１１０の第１の端部１２０における開口部１２５にて、より大きい量の吸引が必要になるであろう。代替として、第１の容器が弾性的に変形可能である場合、図１０Ｂに関して上述したように、第１の容器１１０の第１の端部１２０における開口部１２５から吸引することにより、第１の容器１１０の側壁１４０は変形して、その初期位置１４０ａからその新しい位置１４０ｂになり、よって第１の液体１９０の部分が第１の容器１１０の第１の端部１２０における開口部１２５から流出する。側壁が、その新しい変形位置１４０ｂにある場合は、これが、第１の容器１１０内に収縮部又はネックを形成し、それにより、第１の容器の第１の端部１２０における開口部１２５から、これ以上の第１の液体が流出することが防止される。この実施例では、もっと多くの第１の液体を第１の容器１１０の第１の端部１２０における開口部１２５から流出させるためには、第１の容器１１０の第１の端部１２０における開口部１２５での吸引を取り除き、側壁１４０を、その非変形の初期位置１４０ａに戻させ、そして第１の容器１１０の第１の端部１２０における開口部１２５に吸引を再適用しなければならない。
【００７２】
[0082]いくつかの実施形態では、第２の液体２９０を第２の容器２００の管２０２の第１の端部２２０における開口部２２５から流出させるためには、第２の容器２００の管２０２の第１の端部２２０における開口部２２５での吸引が必要である。この場合、第１の液体１９０が第１の容器１１０の第１の端部１２０における開口部１２５から流出するために、第１の容器１１０の第１の端部１２０における開口部１２５にて必要な吸引よりも、第２の液体２９０が第２の容器２００の管２０２の第１の端部２２０における開口部２２５から流出するために、第２の容器２００の管２０２の第１の端部２２０における開口部２２５にて、より多くの又はより少ない吸引が必要である。例えば、第１の液体１９０が第１の容器１１０の第１の端部１２０における開口部１２５から流出するために第１の容器１１０の第１の端部１２０における開口部１２５にて必要な吸引よりも、第２の液体２９０が第２の容器２００の管２０２の第１の端部２２０における開口部２２５から流出するために第２の容器２００の管２０２の第１の端部２２０における開口部２２５にて、より多くの吸引が必要ならば、吸引が最初に適用された時に、第２の液体２９０が第２の容器２００の管２０２の第１の端部２２０における開口部２２５から流出し始める前に、第１の液体１９０が第１の容器１１０の第１の端部１２０における開口部１２５から流出し始めることになる。同じ量の吸引が適用され続けると、第１の液体１９０及び第２の液体２９０は両方とも液体供給装置１００から流出することになる。第１の容器１１０の第１の端部１２０における開口部１２５での吸引により、所定量の第１の液体１９０が第１の容器１１０の第１の端部１２０における開口部１２５から流出することになる上述の場合では、所定量の第１の液体１９０が第１の容器１１０の第１の端部１２０における開口部１２５から、いったん流出し終えたら、吸引を更に加えたかどうかに関わらず、第１の液体は第１の容器１１０の第１の端部１２０における開口部１２５から流出することを停止する。それに応じて、例えば、ユーザが第１の容器１１０を口に入れ、第１の容器１１０と第２の容器２００の管２０２との、それぞれの第１の端部１２０、２２０を吸引することによって吸引が維持される場合、第２の液体２９０は液体供給装置１００から流出し続ける一方で、いかなる第１の液体も液体供給装置から流出することはない。いったんユーザが所望の量の飲料、例えば、ひと口分又は口いっぱい分を飲み終えたら、ユーザは、第１の容器１１０と第２の容器２００の管２０２との、それぞれの第１の端部１２０、２２０への吸引の適用を停止でき、第２の液体は液体供給装置１００から流出しなくなることになる。ユーザが、例えば２回目のひと口分又は口いっぱい分を飲むために、液体供給装置１００を２回目に使用することを望んだ場合、ユーザは、第１の容器１１０を再び口の中に置き、第１の容器１１０と第２の容器２００の管２０２との、それぞれの第１の端部１２０、２２０を吸引できる。上述したように、吸引を取り除き、そして再適用することにより、第１の液体１９０の第２の部分が第１の容器１１０の第１の端部１２０における開口部１２５から流出する。第１の液体１９０が第１の容器１１０の第１の端部１２０における開口部１２５から流出するために、第１の容器１１０の第１の端部１２０における開口部１２５にて必要な吸引よりも、第２の液体２９０が第２の容器２００の管２０２の第１の端部２２０における開口部２２５から流出するために、第２の容器２００の管２０２の第１の端部２２０における開口部２２５にて、より多くの吸引が必要なので、第２の液体２９０が第２の容器２００の管２０２の第１の端部２２０における開口部２２５から流出し始める前に、第１の液体１９０の第２の部分が、第１の容器１１０の第１の端部１２０における開口部１２５から流出し始めることになる。吸引が維持されると、第２の液体２９０は液体供給装置１００から流出し続ける一方で、第１の液体は液体供給装置から流れ出ることはない。ユーザは、第１の液体１９０及び／又は第２の液体２９０がそれぞれ、第１の容器１１０及び第２の容器２００の流体保持要素２０４から枯渇するまで、ユーザが消費することを望む飲料のひと口分又は口いっぱい分の全てに対して、このシーケンスを繰り返すことができる。
【００７３】
[0083]いくつかの実施形態では、第１の容器１１０を変形させることにより、第２の容器２００の管２０２の第１の端部２２０における開口部２２５を通る第２の液体２９０の流れが抑制される。図１０Ｃに示すように、第２の容器２００の管２０２は弾性的に変形可能である。第１の容器１１０に力が加えられると、第１の容器の側壁１４０は、その初期位置１４０ａから新しい位置１４０ｃに変形される。位置１４０ｃは、位置１４０ｂと同じであってもよく、又は異なっていてもよく、例えば位置１４０ｃは変形されて、非変形位置１４０ａから、位置１４０ｂよりも離れていてもよい。第１の容器をこのように変形させることにより、第２の容器２００の管２０２は変形し、第２の容器２００の管２０２の第１の端部２２０における開口部２２５から出る第２の液体２９０の流れが抑制される。図１０Ｃに示すように、第１の容器１１０を変形させることにより、第２の容器２００の管２０２は初期の非変形位置２０２ａから新しい変形位置２０２ｂへと変形する。この新たな変形位置２０２ｂは、第２の容器２００の管２０２内に収縮部又はネックを形成し、それにより、第２の容器２００の管２０２の第１の端部２２０における開口部２２５から出る第２の液体２９０の流れが抑制、抑制、又は完全に防止される。
【００７４】
[0084]図１１に示すように、第１の容器１１０は、第２の容器２００の流体保持要素２０４から取り外し可能であり、第１の容器１１０内の第１の液体１９０及び第２の容器２００の流体保持要素２０４内の第２の液体２９０を補充することが可能になる。第１の容器は、任意の好適な取り付け手段、例えば、スナップ嵌めジョイント、ねじ、又はラッチ若しくはクリップなどの保持手段を有するヒンジ機構によって、第２の容器２００の流体保持要素２０４に取り付けられてもよい。図１１には示されていないが、いくつかの実施形態では、第２の容器２００の管２０２は第１の容器１１０に固定されており、それにより、第１の容器１１０が第２の容器２００の流体保持要素２０４から取り外された場合に、第２の容器２００の管２０２は第１の容器１１０と一体となっている。代替として、第２の容器２００の管２０２は第２の容器２００の流体保持要素２０４に固定され、それにより、第１の容器１１０を第２の容器２００の流体保持要素２０４から脱着させる場合に、第１の容器１１０が第２の容器２００の管２０２の上及び周囲を摺動してもよい。代替として、第２の容器２００の管２０２は、第１の容器１１０と第２の容器２００の流体保持要素２０４とは別個の構成要素であり、それにより、管２０２を第１の容器１１０とは別々に第２の容器２００の流体保持要素２０４から取り外し可能であってもよい。例えば、第１の容器１１０を、例えば、ねじを外すことによって、第２の容器２００の流体保持要素２０４から取り外し、次いで、管を第２の容器２００の流体保持要素２０４から取り除いてもよい。第１の液体１９０及び第２の液体２９０がそれぞれ、第１の容器及び第２の容器２００の流体保持要素２０４の中にいったん補充されると、管が第１の容器１１０の第１の端部１２０における開口部１２５を通って摺動する前に、第１の容器が第２の容器２００の流体保持要素２０４にねじ込まれ、その結果、第２の容器の管２０２の第１の端部２２０が第１の容器１１０の第１の端部１２０に隣接し、第２の容器の管２０２の第２の端部２０５が第２の容器２００の流体保持要素２０４の内部に位置するようになる。
【００７５】
[0085]いくつかの実施形態では、第１の容器１１０は、第２の容器２００の流体保持要素２０４から取り外し可能であり、第２の容器２００の流体保持要素２０４内の第２の液体２０９を補充することが可能になる。次いで、第１の液体１９０を収容する交換用の第１の容器１１０が、第２の容器２００の流体保持要素２０４に再び取り付けられる。第２の容器２００の管２０２が、第１の構成要素又は第２の容器２００の流体保持要素２０４とは別個の構成要素である実施形態、又は第２の容器２００の管２０２が、第１の容器１１０に固定される実施形態では、交換用の管もまた再び取り付けられる。
【００７６】
[0086]図には示されていないが、図９に示す液体供給装置１００はまた、第１の容器１１０の第１の端部１２０における開口部１２５及び第２の容器２００の管２０２の第１の端部２２０における開口部２２５を封止し、それにより液体が液体供給装置３００から偶発的に出ることを防止するように構成されたキャップ３００を備えてもよい。キャップ３００は、第１の容器１１０の偶発的な変形を防止するように剛性であってもよい。
【００７７】
[0087]したがって、ここまで第１の液体及び第２の液体を順番に選択的に供給するために使用できる液体供給装置の別の例を説明してきたが、この例では、第１の液体及び第２の液体は異なる味物質の成分又は量を有し、その結果、ユーザが装置から飲む場合、ユーザは飲料成分を順番に受け取るが、ユーザはその飲料を一貫した風味を有する単一の飲料として知覚することが可能である。
【００７８】
[0088]上述の実施例のそれぞれ又はいずれにおいても、第１の液体１９０及び第２の液体２９０の供給は連続的及び／又は重なり合ってもよい。重なり合った供給のために、汚物液体１９０が第１の容器１１０における開口部１２５から流出し続ける間に、第２の液体２９０は第２の容器２００における開口部２２５から流出し始める。換言すれば、液体供給装置１００から出る第１の液体１９０の供給は、液体供給装置１００から出る第２の液体２９０の供給と重なり合う。代替的なアプローチでは、第２の液体２９０が第２の容器２００から流出し始める前に、第１の液体１９０は液体供給装置１００から枯渇していてもよい。換言すれば、液体供給装置１００から出る第２の液体２９０の供給が開始される前に、液体供給装置１００から出る第１の液体１９０の供給が完了していてもよい。液体の味物質特性及び舌の味物質感度に依存して、液体供給装置は、第２の液体２９０が第１の容器１１０の第１の端部１２０における開口部１２５から流出し始めてから非常に短い時間の後に、第１の液体１９０が液体供給装置１００から枯渇し、それにより、第１の液体１９０の供給と第２の液体２９０の供給との間の重なり合いが最小化され、一方で、第１の液体の供給と第２の液体の供給との間の隙間も回避されるように構成されてもよい。
【００７９】
[0089]上述したように、第１の液体１９０及び第２の液体２９０のうちの一方は、他方の液体に本質的に存在しない味物質を含有する、又は相対的に異なる量で存在する味物質を含有する。第１の液体１９０及び第２の液体２９０の組成は、味物質の濃度と本質的に同じであってもよい。例えば、第１の液体及び第２の液体は、脂肪、空気、タンパク質、主要栄養素、及び炭水化物に関して実質的に同一であり、その結果、第１の液体１９０及び第２の液体２９０は、液体のうちの一方の中に味物質が存在することを除いて、同じ相対比率で同じ成分を含んでもよい。第１の液体１９０及び第２の液体２９０は、外観上は同じであってもよい。例えば、第１の液体１９０及び第２の液体２９０は、色、構造、質感、又は味見するか若しくは匂いを嗅ぐことなく明白に直接的に知覚できる任意の特性などの、同じ外観を有し、その結果、第１の液体１９０及び第２の液体２９０は、液体供給デバイスのユーザにとって同じ組成物を有すると感じられてもよい。第１の液体１９０及び第２の液体２９０の密度及び／又は粘度は、実質的に同じであってもよい。当業者には理解されるように、異なる味物質に対する検出及び感度は、化学感覚（ｃｈｅｍｅｓｔｈｅｓｉｓ）の原理によって説明され得る。
【００８０】
[0090]味物質は、甘味、塩味、苦味、うまみ、酸味であってもよく、又は風味を有してもよい。例えば、塩味味物質は、塩化ナトリウム、塩化カリウム、及び塩化アンモニウムのうちの１つ以上から構成されてもよい。甘味味物質は、グルコース、スクロース、フルクトース、又はガラクトースのうちの１つ以上から構成されてもよい。
【００８１】
[0091]第２の液体２９０は、医薬品、栄養補助食品、又は健康補助食品（dietary supplement）であってもよい。この場合、第２の液体は、医薬品、栄養補助食品、又は健康補助食品の組成物に関連する苦味又は酸味の味物質を有してもよい。この味物質は、第１の液体１９０に本質的に存在しなくてもよい。第１の液体１９０及び第２の液体２９０が液体供給装置１００から、例えばユーザの口の中に供給された場合、第１の液体１９０は第２の液体２９０の前に液体供給装置１００から流出する。したがって、ユーザは、苦味又は酸味の第２の液体２９０の前に第１の液体１９０を味わい、よって第２の液体２９０が第１の液体１９０と同時に又は第１の液体１９０の前に供給された場合よりも、ユーザは、より心地よい味体験をする。
【００８２】
[0092]本発明の飲料中の味物質は塩化ナトリウムを含んでもよく、例えば、味物質は塩化ナトリウムであってもよい。人類は、何千年にもわたって食塩（塩化ナトリウム）を食物に添加し、その味に慣れてきた。その結果、最も望ましい塩味の特性は、塩化ナトリウムで得られるものである。塩化ナトリウムは、食品の全体的な風味を高めるように作用し得る。本発明による飲料は、飲料全体１００ｇ当たり１４０ｍｇのナトリウムを含有してもよい。米国食品医薬品局は、食事及び主菜が１００ｇ当たり１４０ｍｇ以下のナトリウムを含む場合、これを「低ナトリウム」と定義している。
【００８３】
[0093]本発明の飲料中の味物質はスクロースを含んでもよく、例えば、味物質はスクロース又は他の甘味成分であってもよい。
【００８４】
[0094]本実施例の装置から供給される飲料では、第１の液体の一部及び第２の液体の一部が一緒に消費され、続いて第１の液体の別の一部及び第２の液体の別の一部が一緒に消費されてもよい。例えば、飲料は、第１の部分の一部を第２の部分の一部と共に、組み合わせの連続にて、例えば組み合わせの少なくとも３つの連続、例えば組み合わせの少なくとも５つの連続、例えば組み合わせの少なくとも１０個の連続、にて消費できるような飲料であってもよい。本発明の飲料は、体積における第２の部分の大部分が、第１の部分の一部及び第２の部分の一部を共に含む（例えば、これらからなる）組み合わせの連続で消費できるような飲料であってもよい。このような組み合わせは、上述のように、２つの液体の流れの重なり合いを変えるように、装置内部の異なる容器からの第１の液体及び第２の液体の相対流速を調節することにより供給できる。
【００８５】
[0095]本明細書に記載される主題の態様は、以下の番号付けされた節に記載される。
節１．液体供給装置であって、第１の液体を収容する第１の容器であって、第１の容器の端部に開口部を有する、第１の容器と、
第１の容器に隣接する第２の容器であって、第２の液体を収容し、第２の容器の端部に開口部を有する、第２の容器と、を備え、
第１の容器の端部における開口部は、第２の容器の端部における開口部に近接しており、
第１の容器及び第２の容器は、第１の液体を第２の液体から隔て、
第１の液体及び第２の液体のうちの一方は、他方の液体に本質的に存在しない味物質を含有する、又は相対的に異なる量で存在する味物質を含有し、
第１の容器及び第２の容器の構成、並びに／又は第１の容器の端部における開口部及び第２の容器の端部における開口部の構成は、第１の液体及び第２の液体が装置から注がれる場合に、第１の液体が第１の容器の端部における開口部を通って流れ、第２の液体が第２の容器の端部における開口部を通って流れ、それにより、第２の液体が第２の容器の端部における開口部から出始める前に、第１の液体が第１の容器の端部における開口部から出始めるような構成である、液体供給装置。
節２．味物質は、甘味、塩味、苦味、うまみ、酸味であってもよく、又は風味を有してもよく、例えば、味物質は、塩化ナトリウム、塩化カリウム、塩化アンモニウム、グルコース、スクロース、フルクトース、又はガラクトースを含むリストから選択される、節１に記載の液体供給装置。
節３．第１の容器の側壁が第２の容器の側壁をも形成する、節１又は２に記載の液体供給装置。
節４．第２の容器からの第２の液体の流れを抑制するように、第１の容器及び第２の容器の側壁が湾曲している、節３に記載の液体供給装置。
節５．第１の容器及び第２の容器の側壁は、液体供給装置が第１の角度だけ回転された場合に、第１の液体の所定の部分のみが第１の容器の第１の端部における開口部に流れて外に出ることが可能にするように湾曲している、節３又は４に記載の液体供給装置。
節６．液体供給装置が第１の角度よりも大きい第２の角度だけ回転された場合に、第１の液体の第２の所定の部分が第１の容器の第１の端部における開口部に流れて外に出ることが可能である、節５に記載の液体供給装置。
節７．第１の容器は、第１の容器の第１の端部における開口部に向かって先細りになっており、第２の容器は、第２の容器の第１の端部における開口部に向かって先細りになっている、節３〜６のいずれか一節に記載の液体供給装置。
節８．第１の液体及び第２の液体が液体供給装置から注がれた場合に、液体供給装置が特定の向きに保持されることが促進されるように、第１の容器の先細りと第２の容器内の先細りとは非対称である、節７に記載の液体供給装置。
節９．第１の容器の端部における開口部及び第２の容器の端部における開口部はキャップ内に位置しており、キャップは液体供給装置から取り外し可能であり、よって第１の容器内の第１の液体及び第２の容器内の第２の液体を補充されることが可能である、節３〜８のいずれか一節に記載の液体供給装置。
節１０．第２の容器の端部における開口部は、第１の容器における開口部よりも小さい断面積を有する、節３〜９のいずれか一節に記載の液体供給装置。
節１１．第１の容器内の第１の液体の体積は、第２の容器内の第２の液体の体積よりも大きい、節３〜１０のいずれか一節に記載の液体供給装置。
節１２．第１の容器の端部における開口部は第１の弁を備え、第２の容器の端部における開口部は第２の弁を備える、節１〜３のいずれか一節に記載の液体供給装置。
節１３．第１の弁を通る第１の液体の最大流量が、第２の弁を通る第２の液体の最大流量よりも大きい、節１２に記載の液体供給装置。
節１４．第１の弁は、第１の液体の所定の部分のみが第１の弁から出ることが可能なように構成されており、及び／又は第２の弁は、第２の液体の所定の部分のみが第２の弁から出ることが可能なように構成されている、節１２又は１３に記載の液体供給装置。
節１５．第１の液体の所定の部分は、第２の液体の所定の部分よりも小さい、節１４に記載の液体供給装置。
節１６．第１の弁及び第２の弁の各々が開位置及び閉位置を有する、節１２〜１５のいずれか一節に記載の液体供給装置。
節１７．第１の弁は第２の弁よりも速く、開位置から閉位置へと及び／又は閉位置から開位置へと移行するように構成されている、節１６に記載の液体供給装置。
節１８．第１の弁及び第２の弁は、第１の弁及び第２の弁が同時に開位置から閉位置へと移行し、かつ同時に閉位置から開位置へと移行するように構成されるように、複合弁の一部を形成している、節１６に記載の液体供給装置。
節１９．第１の弁及び／又は第２の弁は閉位置において付勢されている、節１６〜１８のいずれか一節に記載の液体供給装置。
節２０．付勢に打ち勝つために、弁の前後の圧力差が必要である、節１９に記載の液体供給装置。
節２１．第１の弁及び第２の弁はキャップ内に位置しており、キャップは液体供給装置から取り外し可能であり、よって第１の容器内の第１の液体及び第２の容器内の第２の液体は補充されることが可能である、節１２〜２０のいずれか一節に記載の液体供給装置。
節２２．キャップは、液体供給装置、例えば第１の容器及び／又は第２の容器に空気が入ることを可能にするベントを備える、節２１に記載の液体供給装置。
節２３．ベントは、液体がベントを通って出ることを防止するための弁を備える、節２２に記載の液体供給装置。
節２４．第２の容器は管及び流体保持要素を備え、
第２の容器の端部における開口部は、管の第１の端部に位置しており、
管の第２の端部は、流体保持要素の内部に位置しており、
流体保持要素は第２の液体を収容し、
管は第１の容器を貫通している、
節１又は２に記載の液体供給装置。
節２５．第１の容器は弾性的に変形可能である、節２４に記載の液体供給装置。
節２６．第１の容器を変形させることにより、第１の液体が第１の容器の第１の端部における開口部を通って流れるようになる、節２５に記載の液体供給装置。
節２７．第１の容器を変形させることにより、第１の液体の一部分が第１の容器の第１の端部における開口部を通って流れるようになる、節２６に記載の液体供給装置。
節２８．第１の容器を変形させることにより、第２の容器の管の第１の端部における開口部を通る第２の液体の流れが抑制される、節２５〜２７のいずれか一節に記載の液体供給装置。
節２９．第２の容器の管は弾性的に変形可能であり、第１の容器を変形させることにより、第２の容器の管が変形し、第２の容器の管の第１の端部における開口部から出る第２の液体の流れが抑制される、節２５〜２８のいずれか一節に記載の液体供給装置。
節３０．第１の液体を第１の容器の第１の端部における開口部から流出させるために、第１の容器の第１の端部における開口部での吸引が必要である、節２４〜２９のいずれかに一節に記載の液体供給装置。
節３１．第１の容器の第１の端部における開口部での吸引が、所定量の第１の液体を第１の容器の第１の端部における開口部から流出させる、節３０に記載の液体供給装置。
節３２．第２の液体を第２の容器の管の第１の端部における開口部から流出させるために、第２の容器の管の第１の端部における開口部での吸引が必要である、節３０又は３１に記載の液体供給装置。
節３３．第１の液体が第１の容器の第１の端部における開口部から流出するために第１の容器の第１の端部における開口部にて必要な吸引よりも、第２の液体が第２の容器の管の第１の端部における開口部から流出するために第２の容器の管の第１の端部における開口部にて、より多くの又はより少ない吸引が必要である、節３２に記載の液体供給装置。
節３４．第１の容器は、第２の容器の流体保持要素から取り外し可能であり、それにより第１の容器内の第１の液体及び第２の容器の流体保持要素内の第２の液体を補充することが可能になる、節２４〜３３のいずれか一節に記載の液体供給装置。
節３５．第２の容器の管は第１の容器に固定されている、節３４に記載の液体供給装置。
節３６．第１の容器は、第２の容器の流体保持要素から取り外し可能であり、よって第２の容器の流体保持要素内の第２の液体を補充すること、及び交換用の第１の容器を第２の容器の流体保持要素に再び取り付けることが可能になる、節２４〜３３のいずれか一節に記載の液体供給装置。
節３７．第１の容器の第１の端部における開口部は、第２の容器の管の第１の端部における開口部の周囲に円環を形成する、節２４〜３６のいずれか一節に記載の液体供給装置。
節３８．第１の容器の第１の端部における開口部及び第２の容器の管の第１の端部における開口部を封止するように構成されたキャップを更に備える、節２４〜３７のいずれか一節に記載の液体供給装置。
節３９．第１の液体を収容する第１の容器であって、第１の容器の端部に開口部を有する、第１の容器と、
第１の容器に隣接する第２の容器であって、第２の液体を収容し、第２の容器の端部に開口部を有する、第２の容器と、を備え、
第１の容器の端部における開口部は、第２の容器の端部における開口部に近接しており、
第１の容器の湾曲した側壁が、第２の容器の湾曲した側壁をも形成し、湾曲した側壁は第１の液体を第２の液体から隔て、
第１の液体及び第２の液体のうちの一方は、他方の液体に本質的に存在しない味物質を含有する、又は相対的に異なる量で存在する味物質を含有し、
第１の液体及び第２の液体が装置から注がれる場合に、第２の液体が第２の容器の端部における開口部から出始める前に、第１の液体が第１の容器の端部における開口部から出始めるように、第１の液体が第１の容器の端部における開口部を通って流れ、第２の液体が第２の容器の端部における開口部を通って流れるように、湾曲した側壁が第２の容器からの第２の液体の流れを抑制する、液体供給装置。
節４０．第１の液体を収容する第１の容器であって、第１の容器の端部に開口部を有する、第１の容器と、
第１の容器に隣接する第２の容器であって、第２の液体を収容し、第２の容器の端部に開口部を有する、第２の容器と、を備え、
第１の容器の端部における開口部は、第２の容器の端部における開口部に近接しており、
第１の容器及び第２の容器は、第１の液体を第２の液体から隔て、
第１の液体及び第２の液体のうちの一方は、他方の液体に本質的に存在しない味物質を含有する、又は相対的に異なる量で存在する味物質を含有し、
第１の容器の端部における開口部は第１の弁を備え、第２の容器の端部における開口部は第２の弁を備え、第１の液体及び第２の液体が装置から注がれる場合に、第１の液体が第１の弁を通って流れ、第２の液体が第２の弁を通って流れ、それにより、第２の液体が第２の弁から出始める前に、第１の液体が第１の弁から出始めるように、第１の弁及び第２の弁が構成されている、液体供給装置。
節４１．第１の液体を収容する第１の容器であって、第１の容器の端部に開口部を有する、第１の容器と、
管と流体保持要素とを備える第２の容器であって、流体保持要素は第２の液体を含み、管は管の第１の端部に開口部を有し、管の第２の端部は流体保持要素の内部にある、第２の容器と、
を備える液体供給装置であって、
管は第１の容器を貫通し、
第１の容器の端部における開口部は、第２の容器の管の第１の端部における開口部に近接しており、
第１の容器及び第２の容器は、第１の液体を第２の液体から隔て、
第１の液体及び第２の液体のうちの一方は、他方の液体に本質的に存在しない味物質を含有する、又は相対的に異なる量で存在する味物質を含有し、
第１の容器と第２の容器の管との構成は、第１の液体及び第２の液体が装置から注がれる場合に、第１の液体が第１の容器の端部における開口部を通って流れ、第２の液体が第２の容器の管の第１の端部における開口部を通って流れ、それにより、第２の液体が第２の容器の管の第１の端部における開口部から出始める前に、第１の液体が第１の容器の端部における開口部から出始めるような構成である、液体供給装置。
【００８６】
[0096]当業者は、これら実施形態が例示としてのみ提供され、本開示の趣旨及び範囲から逸脱しない範囲で、異なる実施形態からの異なる特徴を適宜組み合わせることができることを理解するであろう。それに応じて、本発明の範囲は、添付の特許請求の範囲及びそれらの等価物によって定義されるべきである。
【図１】
2020524640.tif 000003
【図２】
2020524640.tif 000004
【図３】
2020524640.tif 000005
【図４Ａ】
2020524640.tif 000006
【図４Ｂ】
2020524640.tif 000007
【図５Ａ】
2020524640.tif 000008
【図５Ｂ】
2020524640.tif 000009
【図６】
2020524640.tif 000010
【図７Ａ】
2020524640.tif 000011
【図７Ｂ】
2020524640.tif 000012
【図８Ａ】
2020524640.tif 000013
【図８Ｂ】
2020524640.tif 000014
【図９Ａ】
2020524640.tif 000015
【図９Ｂ】
2020524640.tif 000016
【図１０Ａ】
2020524640.tif 000017
【図１０Ｂ】
2020524640.tif 000018
【図１０Ｃ】
2020524640.tif 000019
【図１１】
2020524640.tif 000020
【国際調査報告】
2020524640.tif 000021
2020524640.tif 000022
2020524640.tif 000023
2020524640.tif 000024
2020524640.tif 000025